(57)【要約】【課題】クライアントがサーバからチャプタの構成情報を取得できるだけでなく、クライアントで設定したチャプタ構成情報をサーバに設定することが可能とすると共に、チャプタの構成が、複数のチャプタリストを持つ構成であっても、その構成情報をサーバとクライアントで相互に取得することを可能とする。【解決手段】  サーバの機器情報の拡張情報としてチャプタ情報共有手段を有することを示し、クライアントがサーバからチャプタ情報を取得できると共に、クライアントで設定したチャプタ情報をサーバに設定できるようにした。さらに、該チャプタ情報は、複数のチャプタリストを持つ共通の構成にした。【選択図】  図７
2012065059.tif 000002
【特許請求の範囲】
【請求項１】
コンテンツを再生する再生部と、
ネットワークを介して前記コンテンツを送信するコンテンツ送信部と、
を備えた送信装置であって、
前記コンテンツのシーンの区切りを示すチャプタ情報を保持し、当該保持したチャプタ情報を前記ネットワークを介して送信する制御部を有し、
前記制御部は、チャプタ情報を生成した場合、及び前記ネットワークを介して前記送信装置とは異なる他の装置で生成されたチャプタ情報を取得した場合に、保持しているチャプタ情報を更新することを特徴とする送信装置。
【請求項２】
請求項１に記載の送信装置であって、
前記制御部は、前記ネットワークを介してコンテンツを送信する機能を備えていることを示すサーバ機器情報を送信し、
前記サーバ機器情報は前記チャプタ情報を送信する機能を備えていることを示す情報を含むことを特徴とする送信装置。
【請求項３】
ネットワークを介してコンテンツを受信するコンテンツ受信部と、
前記コンテンツを再生する再生部と、
を備えた受信装置であって、
前記ネットワークを介してコンテンツのシーンの区切りを示すチャプタ情報を取得する制御部を有し
前記制御部は、前記コンテンツのチャプタ情報を生成し、当該生成したチャプタ情報を前記ネットワークを介して送信することを特徴とする受信装置。
【請求項４】
請求項３に記載の受信装置であって、
前記チャプタ情報は、一つ以上のチャプタから構成されるチャプタリストを一つ以上含むことを特徴とする受信装置。
【請求項５】
請求項３または４に記載の受信装置であって、
前記制御部は、前記ネットワークを介してコンテンツを送信する機能を備えることを示すサーバ機器情報を取得し、
前記サーバ機器情報には、前記チャプタ情報を送信する機能を備えていることを示す情報が含まれ、
前記サーバ機器情報が前記チャプタ情報を送信する機能を備えていることを示す場合は、前記ネットワークを介してコンテンツのシーンの区切りを示すチャプタ情報を取得、または前記ネットワークを介してチャプタ情報を送信することを特徴とする受信装置。
【請求項６】
コンテンツを再生するステップと、
ネットワークを介して前記コンテンツを送信するステップと、
を備えた送信方法であって、
前記コンテンツのシーンの区切りを示すチャプタ情報を保持するステップと、
当該保持したチャプタ情報を前記ネットワークを介して送信するステップとを有し、
チャプタ情報を生成した場合、及び前記ネットワークを介してチャプタ情報を取得した場合に、保持しているチャプタ情報を更新することを特徴とする送信方法。
【請求項７】
請求項６に記載の送信方法であって、
前記ネットワークを介してコンテンツを送信する機能を備えていることを示すサーバ機器情報を送信するステップを有し、
前記サーバ機器情報は前記チャプタ情報を送信する機能を備えていることを示す情報を含むことを特徴とする送信方法。
【発明の詳細な説明】
【技術分野】
【０００１】
本発明は、ネットワークを介して、コンテンツを送信または受信する装置に関する。
【背景技術】
【０００２】
上記技術分野に関し、特許文献１には、「ネットワークに接続される複数のＡＶ機器等に格納されるコンテンツを、ユーザが適宜参照してパケット単位で容易に視聴することができる再生装置を提供する」ことを課題とし、その解決手段として「ネットワーク上の機器と通信を行う通信部１１と、コンテンツをパケット単位で復号し再生する再生部２２と、ネットワーク上の機器が格納するコンテンツの管理情報（ＶＲ＿ＭＡＮＧＲ．ＩＦＯ）を通信部を制御して取得し、管理情報に基づきコンテンツの内容を表示し、これに応じてユーザからの再生指示を受け、再生指示に応じて通信部を介して機器上のコンテンツをパケット単位に取得し、取得したコンテンツのパケットを再生部で再生するべく制御する制御部４１とを有する再生装置」が記載されている。
【先行技術文献】
【特許文献】
【０００３】
【特許文献１】特開２００６−１５５８２８
【発明の概要】
【発明が解決しようとする課題】
【０００４】
しかし、特許文献１では、管理情報の更新に関しては考慮されておらず、ユーザにとって使い勝手が悪い。
【課題を解決するための手段】
【０００５】
上記課題を解決するために、例えば特許請求の範囲に記載の構成を採用する。
【０００６】
本願は上記課題を解決する手段を複数含んでいるが、その一例を挙げるならば、コンテンツを再生する再生部と、ネットワークを介してコンテンツを送信するコンテンツ送信部と、を備えた送信装置において、コンテンツのシーンの区切りを示すチャプタ情報を保持し、保持したチャプタ情報をネットワークを介して送信する制御部を有し、制御部は、チャプタ情報を生成した場合、及びネットワークを介して他の装置で生成されたチャプタ情報を取得した場合に、保持しているチャプタ情報を更新することを特徴とする。
【発明の効果】
【０００７】
上記手段によれば、ネットワークを介したコンテンツの視聴において、ユーザにとって都合の良い位置からコンテンツを再生することが可能となり、ユーザにとっての使い勝手を向上させることができる。
【図面の簡単な説明】
【０００８】
【図１】システムの構成例を示すブロック図である。
【図２】送信装置１１０の構成例を示すブロック図である。
【図３】受信装置１３０、１４０の構成例を示すブロック図である。
【図４】送信装置１１０が配信するサーバ機器情報の例を示す図である。
【図５】送信装置１１０が配信するサービス記述情報の例を示す図である。
【図６】送信装置１１０が管理するチャプタ情報を含むコンテンツ情報の例を示す図である。
【図７】送信装置１１０、受信装置１３０、１４０との間で、チャプタ情報を相互に受け渡しする一連の手順の例を示すフローチャートである。
【図８】受信装置１３０、１４０が、ユーザがチャプタ操作を行うための表示画面の例を示す図である。
【図９】送信装置１１０、受信装置１３０、１４０が扱うコンテンツデータの付属情報の構成の例を示す図である。
【図１０】送信装置１１０と受信装置１３０、１４０との間で受け渡しされるチャプタ情報の構成の例を示す図である。
【図１１】送信装置１１０と受信装置１３０、１４０の構成を、夫々送信部と受信部として一つの機器に具有した装置の構成の例を示す図である。
【発明を実施するための形態】
【０００９】
以下、図面を参照して、本発明に好適な実施形態の例（実施例）を説明する。なお、本発明は、本実施例に示す形態に限定されるものではない。
【００１０】
図１は、本実施例による、送信装置および受信装置からなるホームネットワークシステムの構成例を示したものである。
【００１１】
１１０は動画や音声、画像コンテンツをホームネットワーク１００上の受信装置（後述する受信装置１３０や１４０）に送信する送信装置（サーバ）であり、本実施例にかかるコンテンツのシーン区切りを示すチャプタ情報を管理する装置である。
【００１２】
このような送信装置としては、例えばレコーダや録画機能付きテレビが考えられ、例えばレコーダのように表示装置を内蔵していない場合には、図に示したように、表示装置１２０（テレビなど）を接続して再生したコンテンツを表示する。
【００１３】
その接続には、アナログ或いはデジタルの映像データ／音声データを出力するアナログ或いはデジタルインタフェースを用いることができる。この送信装置１１０の詳細な構成例については、図２を用いて後述して説明する。
【００１４】
１３０および１４０は、動画や音声、画像コンテンツをホームネットワーク１００上の送信装置１１０から受信して再生する受信装置（クライアント）であり、本実施例にかかるコンテンツのシーン区切りを示すチャプタ情報を送信装置１１０に対して受信および送信する装置である。
【００１５】
このような受信装置としては、例えばテレビやＰＣが考えられ、図には示していないが、例えばＳＴＢ（Ｓｅｔ  Ｔｏｐ  Ｂｏｘ）のように表示装置を内蔵していない場合には、送信装置１１０のように、表示装置（テレビなど）を接続して再生したコンテンツを表示する。これら受信装置１３０、１４０の詳細な構成例については、図３を用いて後述して説明する。また、本実施例では説明しないが、この送信装置と受信装置の両方の機能を備えた装置も考えられる。このような装置においては、以降説明する送信装置、受信装置それぞれの機能（構成および制御方法）が実現されれば良い。そして、このようなホームネットワーク１００は、例えば、良く知られたＩＰ（Ｉｎｔｅｒｎｅｔ  Ｐｒｏｔｏｃｏｌ）ネットワークによって構築されるものである。
【００１６】
次に図２を用いて、送信装置１１０の詳細な構成例について説明する。
【００１７】
送信装置１１０は、デジタル放送を受信して、コンテンツの記録と再生、及びホームネットワーク１１０上の受信装置にコンテンツを送信する装置である。コンテンツの記録に関しては、ネットワーク経由のＩＰ放送の受信やダウンロードによるものに適用しても良い。
【００１８】
なお、ここでは、画像圧縮技術としてＭＰＥＧ（Ｍｏｖｉｎｇ  Ｐｉｃｔｕｒｅ  Ｅｘｐｅｒｔｓ  Ｇｒｏｕｐｅ）方式によって符号化され、ＭＰＥＧ２―ＴＳ方式で多重化された信号を扱う場合について説明する。
【００１９】
チューナ復号部２０１は、無線（衛星、地上）、ケーブルなどの放送伝送網を介して送信されたデジタル放送信号を受信する。ユーザのリモコンなどの指示により指定されたチャンネルの周波数に選局および検波処理を施す。また、デジタル復調および誤り訂正処理を施した後のＭＰＥＧ２―ＴＳ（トランスポートストリーム）を図示しないセレクタを経由して、その出力を分離抽出部２１１へ出力する。
【００２０】
分離抽出部２１１は、ユーザのリモコンなどの指示により指定されたチャンネル（番組）のトランスポートパケットを、入力されたＭＰＥＧ２―ＴＳから分離・抽出する。分離・抽出されたトランスポートパケットは、コンテンツを再生する場合は、さらに映像と音声のＰＥＳ（Ｐａｃｋｅｔｉｚｅｄ  Ｅｌｅｍｅｎｔａｒｙ  Ｓｔｒｅａｍ）またはＥＳ（Ｅｌｅｍｅｎｔａｒｙ  Ｓｔｒｅａｍ）を分離・抽出して復号部２１２へ出力され、コンテンツを記録する場合はさらにタイムスタンプの情報を付加してコンテンツ管理部２０４へ出力される。
【００２１】
コンテンツを再生する場合は、復号部２１２は、映像／音声のＰＥＳまたはＥＳを取り出して復号し、復号された映像／音声は、表示出力部２０３へ出力する。
【００２２】
表示出力部２０３は、復号された映像／音声をデジタルおよびまたはアナログのインタフェースを経由して、外部の表示装置１２０に対して出力する。このとき、図示しない描画部において生成された、ユーザに提示するメニューやコンテンツ一覧などの操作画面イメージを、復号された映像に合成して出力する。
【００２３】
コンテンツを記録する場合は、分離抽出部２１１は、ユーザのリモコンなどの指示により指定されたチャンネル（番組）のトランスポートパケットから、記録媒体２０２に記録されるチャンネル（番組）のタイトルやジャンル、フォーマット情報といった情報を検出し、これらをコンテンツ情報管理部２０４へ出力する。このタイトルやジャンル、放送スケジュール等を示す情報は、例えば、ＭＰＥＧ-ＴＳのＰＳＩ、或いはＳＩ情報に格納されるものである（ＰＳＩ、ＳＩ情報の概要については図９により後述で説明する）。
【００２４】
コンテンツ情報管理部２０４は、分離抽出部２１１からのタイトル等の情報に基づいて管理情報を作成し、また、分離抽出部２１１から入力されたトランスポートパケットに対して上記管理情報に基づいて記録媒体２０２に記録する。この際、図示しない暗号部を介して、適切な暗号化処理を施して記録する。
【００２５】
一方で、記録媒体２０２に記録されたコンテンツを、ホームネットワーク１００上の受信装置１３０、１４０に送信する場合は、まず、ユーザのリモコンなどの操作により指示された記録媒体２０２に記録されたコンテンツのトランスポートパケットを逐次読み出し、これをコンテンツ送信部２０６に出力する。この際、図示しない暗号・復号部を介してコンテンツの復号を行うと共に、ホームネットワークに出力するための暗号化処理を施す。
【００２６】
コンテンツ送信部２０６は、復号されかつタイムスタンプが付加されたトランスポートパケットからタイムスタンプ情報を除去してネットワークＩ／Ｆ部２０８へ出力する。コンテンツ送信部２０６は、この他に、ネットワークＩ／Ｆ２０８を介して、受信装置１３０，１４０からコンテンツの送信開始要求や送信停止要求を受信する。
【００２７】
このコンテンツ送信要求は、コンテンツを送信開始する位置や長さをパラメータとして受け付ける。この要求を受信した場合には、記録媒体２０２に記録されたコンテンツに対し、適宜、頭出し指定、長さ指定の制御を行って要求に沿ったトランスポートパケットを読み出しネットワークＩ／Ｆ部２０８へ出力する。一方で送信停止要求を受信した場合は、ネットワークＩ／Ｆ部２０８への出力を停止するとともに、記録媒体２０２からのトランスポートパケットの読み出しを停止する。
【００２８】
ネットワークＩ／Ｆ部２０８は、ホームネットワーク１００を介して、受信装置１３０、１４０に対し、コンテンツ送信部２０６から入力されたトランスポートパケットを、伝送規格に沿った形式に変換およびフロー制御を行いながら出力する。ネットワークＩ／Ｆ部２０８は、この他に、後述するチャプタ情報やサーバ機器情報、サービス記述情報といった情報を、ホームネットワーク１００上の受信装置１３０、１４０等に対して送信およびまたは受信する場合に用いられる。
【００２９】
送信装置１１０は、さらに記録媒体２０２内のコンテンツのシーン区切りを示すチャプタ情報を生成するチャプタ情報生成部２０５、チャプタ情報送信機能を有することを示す情報が付加されたサーバ機器情報およびその制御方法を示すサービス記述情報を送信するサーバ機器情報送信部２０７、記録媒体２０２内のコンテンツのシーン区切り示すチャプタ情報を管理するチャプタ情報管理部２２０とを含む。
【００３０】
チャプタ情報管理部２２０はさらに、ネットワークＩ／Ｆ部２０８を介して、受信装置１３０、１４０に対してチャプタ情報を送信するチャプタ情報送信部２２１と、受信装置１３０、１４０において生成・更新された、コンテンツのシーン区切りを示すチャプタ情報を受信するチャプタ情報受信部２２２とを含む。
【００３１】
次に図３を用いて、受信装置１３０、１４０の詳細な構成例について説明する。ここでは受信装置１３０を例にとって説明する。
【００３２】
受信装置１３０は、デジタル放送およびホームネットワーク１００上の送信装置１１０からコンテンツを受信して、コンテンツを再生する装置である。
【００３３】
デジタル放送を受信し再生する場合は、チューナ復号部３０１が、無線（衛星、地上）、ケーブルなどの放送伝送網を介して送信されたデジタル放送信号を受信する。チューナ復号部３０１は、ユーザのリモコンなどの指示により指定されたチャンネルの周波数に選局および検波処理を施す。また、デジタル復調および誤り訂正処理を施した後のＭＰＥＧ２―ＴＳ（トランスポートストリーム）を図示しないセレクタを経由して、その出力を分離抽出部３１１へ出力する。
【００３４】
分離抽出部３１１は、ユーザのリモコンなどの指示により指定されたチャンネル（番組）のトランスポートパケットを、入力されたＭＰＥＧ２―ＴＳから分離・抽出する。分離・抽出されたトランスポートパケットは、さらに映像と音声のＰＥＳ（Ｐａｃｋｅｔｉｚｅｄ  Ｅｌｅｍｅｎｔａｒｙ  Ｓｔｒｅａｍ）またはＥＳ（Ｅｌｅｍｅｎｔａｒｙ  Ｓｔｒｅａｍ）を分離・抽出して復号部３１２へ出力される。
【００３５】
一方で、ホームネットワーク１００上の送信装置１１から受信したコンテンツを再生する場合には、まず、ユーザのリモコンなどの操作により指示された結果として送信装置１１０が送信するコンテンツのトランスポートパケットを、逐次ネットワークＩ／Ｆ部３０８を介して受信する。
【００３６】
ネットワークＩ／Ｆ部３０８は、ホームネットワーク１００を介して、コンテンツ受信部３０３に出力すべきトランスポートパケットを、伝送規格に沿った形式からの変換およびフロー制御を行いながら送信装置１１０から受信する。ネットワークＩ／Ｆ部３０８は、この他に、後述するチャプタ情報やサーバ機器情報、サービス記述情報といった情報を、ホームネットワーク１００上の送信装置１１０等に対して送信およびまたは受信する場合に用いられる。
【００３７】
ネットワークＩ／Ｆ部３０８を介して受信されたトランスポートパケットは、コンテンツ受信部３０３に出力され、さらに図示しないセレクタを経由して、その出力を分離抽出部３１１へ出力される。この際、図示しないネットワーク伝送復号部を介して、ネットワークＩ／Ｆを介して伝送する際に暗号化されたコンテンツの復号を行う。
【００３８】
コンテンツ受信部３０３は、この他に、ネットワークＩ／Ｆ３０８を介して、送信装置１１０に対して、ユーザのリモコンなどの操作による頭出し再生（チャプタスキップ）や早送り再生、一時停止の開始・停止などの指示に基づき、コンテンツを送信開始する位置や長さをパラメータとして付加して送信開始要求や送信停止要求を送信する。
【００３９】
分離抽出部３１１は、コンテンツ受信部３０３から入力されたトランスポートパケットに対し、映像と音声のＰＥＳ（Ｐａｃｋｅｔｉｚｅｄ  Ｅｌｅｍｅｎｔａｒｙ  Ｓｔｒｅａｍ）またはＥＳ（Ｅｌｅｍｅｎｔａｒｙ  Ｓｔｒｅａｍ）を分離・抽出して復号部３１２へ出力される。
【００４０】
復号部３１２は、映像／音声のＰＥＳまたはＥＳを取り出して復号し、復号された映像／音声は、表示部３０２へ出力する。
【００４１】
表示部３０２は、復号された映像／音声を表示する。このとき、図示しない描画部において生成された、ユーザに提示するメニューやコンテンツ一覧、チャプタなどの操作画面イメージを、復号された映像に合成して表示する。
【００４２】
なお、本実施例では、コンテンツの区切り位置を示すチャプタ情報を、送信装置１１０が受信装置１３０、１４０に送信し、受信装置がこれを取得して制御（受信装置で生成するケースも含まれる）するものである。ここで送信装置１１０や受信装置１３０、１４０がチャプタ情報を生成するための手段については、既に様々な方式が公開されているため、ここでの詳細な説明は省略するが、ユーザのリモコンなどの入力手段からの指示による方法等を用いることが可能である。
【００４３】
受信装置１３０は、さらに送信装置１１０から受信し再生したコンテンツのシーン区切りを示すチャプタ情報を生成または更新するチャプタ情報生成部３０７と、ネットワークＩ／Ｆ３０８部を介して、チャプタ情報送信機能を有することを示す情報が付加されたサーバ機器情報およびその制御方法を示すサービス記述情報を受信するサーバ機器情報受信部３０６と、送信装置１１０からチャプタ情報を受信するためのチャプタ情報受信３０４と、受信装置１３０においてチャプタ情報生成部３０７で生成または更新したチャプタ情報を送信するためのチャプタ情報送信部３０５とを含む。
【００４４】
次に図４を用いて、チャプタ情報送信機能を有することを示す情報が付加されたサーバ機器情報の例について説明する。これは、送信装置１１０が受信装置１３０、１４０からの要求に対して送信（返信）するものであり、図２で説明したサーバ機器情報送信部２０７に保持されるものである。
【００４５】
サーバ機器情報４００は、大別して機器のタイプやモデルを示すデバイス情報４１０と、機器が提供する一つ以上のサービスの情報を示すサービス情報リスト４２０とで構成される。このサーバ機器情報４００の構成自体は、送信装置（サーバ）に固有の構成ではなく、ここに含まれる情報の値によって、それが送信装置（サーバ）であることが示される。
【００４６】
デバイス情報４１０には、図示したように、該サーバ機器情報４００を持つ機器自身の情報として、機器のタイプを示すデバイスタイプ、名称、メーカ名、モデル名、固有ＩＤ、バージョン、アイコン情報などで構成される。そして、送信装置１１０の場合においては、送信装置（サーバ）であることを示すために、図示したようにデバイスタイプが「Ｍｅｄｉａ  Ｓｅｒｖｅｒ」と記述される。
【００４７】
サービス情報リスト４２０には、該サーバ機器情報４００を持つ機器が提供するサービスの情報として、一つのサービス毎に、サービスのタイプを示すサービスタイプ、サービスＩＤ、該サービスの制御詳細へのアクセス先を示すサービス記述ＵＲＬ、該サービスの制御先を示すコントロールＵＲＬ、該サービスの通知先を示すイベントＵＲＬなどで構成される。
【００４８】
本実施例では、サービスタイプが「ＣｏｎｔｅｎｔＤｉｒｅｃｔｏｒｙ」であるコンテンツリストを提供するサービスを利用しており、このサービスの制御詳細を示すサービス記述情報５００（詳細は後述）に記載された制御方法を用いて、受信装置１３０、１４０が、コンテンツ毎にチャプタ情報を取得できるようにしている。
【００４９】
そして、本実施例にかかるチャプタ情報送信機能を有することを示す情報は、デバイス情報４１０、サービス情報リスト４２０、とは別に、拡張情報４３１を用いて記述される。このようにすることで、チャプタ情報送信機能の利用に対応していない受信装置においても、サーバ機器情報４００内のデバイス情報４１０、サービス情報リスト４２０を解釈することが可能となる。
【００５０】
また、チャプタ情報送信機能を有することを示す情報を、デバイス情報４１０やサービス情報リスト４２０の中に記述する方法も考えられる。その場合は、チャプタ情報送信機能を有することを示す情報が、それぞれデバイス情報４１０やサービス情報リスト４２０の中で、拡張された情報であることを示すように表現したり、あるいは末尾に記載するなどの方法が考えられる。
【００５１】
次に、先に述べたサービスタイプが「ＣｏｎｔｅｎｔＤｉｒｅｃｔｏｒｙ」であるコンテンツリストを提供するサービスにおいて、そのサービスの制御詳細を示すサービス記述情報５００について、その構成例について図５を用いて説明する。これは、送信装置１１０が受信装置１３０、１４０からの要求に対して送信（返信）するものであり、図２で説明したサーバ機器情報送信部２０７に保持されるものである。
【００５２】
サービス記述情報５００は、大別して該サービスに対する一つ以上のアクション（制御）方法を示すアクションリスト５１０と、アクションリスト５１０に記載されたアクションの入出力値の型を説明するサービス値テーブル５２０とで構成され、これらがサービス毎に用意される。
【００５３】
アクションリスト５１０は、図に示すように、各アクション毎にアクション名と該アクションで使用する引数リストが記載される。引数リストは、引数名、入出力の方向、型名が各引数毎に記載される。そして、本発明にかかるチャプタ情報の取得、設定に関するアクションとしては、図５に示したものが定義される。
【００５４】
アクション名「Ｘ＿ＧｅｔＣｈａｐｔｅｒＬｉｓｔ」５１１で示されるアクションは、受信装置１３０、１４０からの取得要求に対して、送信装置１１０がチャプタ情報６３２（後述）を返信するものである。具体的には、受信装置１３０、１４０が引数５１２（引数名「ＯｂｊｅｃｔＩＤ」のもの）に示した引数を指定して送信装置１１０にチャプタ情報の取得要求を行う。
【００５５】
そして、この取得要求を受けた送信装置１１０は、引数５１３（引数名「ＣｈａｐｔｅｒＬｉｓｔ」のもの）に示した引数を設定してチャプタ情報を返信する。なお、ここに示された引数名「ＯｂｊｅｃｔＩＤ」は、送信装置１１０が送信するコンテンツを一意に定めるＩＤである（詳細は後述）。すなわち、受信装置１３０、１４０から指定されたコンテンツに対するチャプタ情報を、送信装置１１０が返信するというアクションである。
【００５６】
アクション名「Ｘ＿ＳｅｔＣｈａｐｔｅｒＬｉｓｔ」５１４で示されるアクションは、受信装置１３０、１４０からの設定要求に対して、送信装置１１０がチャプタ情報６１２（後述）を設定（更新）するものである。具体的には、受信装置１３０、１４０が引数５１５（引数名「ＯｂｊｅｃｔＩＤ」のもの）、引数５１６（引数名「ＣｈａｐｔｅｒＬｉｓｔ」のもの）に示した引数を指定して送信装置１１０にチャプタ情報の設定要求を行う。
【００５７】
そして、この設定要求を受けた送信装置１１０は、引数５１５の「ＯｂｊｅｃｔＩＤ」に示されるコンテンツに対応するチャプタ情報６３２（後述）や拡張チャプタ情報６４２、を、引数５１６に示される「ＣｈａｐｔｅｒＬｉｓｔ」を用いて設定（更新）する。すなわち、受信装置１３０、１４０から指定されたコンテンツに対するチャプタ情報を、送信装置１１０が設定（更新）するというアクションである。
【００５８】
サービス値テーブル５２０は、先にも述べたようにアクションの入出力値の型を説明するテーブルであり、図に示すように、名称（アクションリスト５１０内の型名に対応）、その型のデータタイプ（文字列、符号なし４バイト整数型など）が、各型毎に記載される。
【００５９】
先に述べた「Ｘ＿ＧｅｔＣｈａｐｔｅｒＬｉｓｔ」アクションや「Ｘ＿ＳｅｔＣｈａｐｔｅｒＬｉｓｔ」アクションでは、図に示すように「Ｘ＿Ａ＿ＡＲＧ＿ＴＹＰＥ＿ＣｈａｐｔｅｒＬｉｓｔ」という名称の型を使用するため、該型について記載する（「ｓｔｒｉｎｇ」という文字列のデータタイプが記載されている）。すなわち、引数「ＣｈａｐｔｅｒＬｉｓｔ」は、文字列によって表現される（ここに文字列で表現されるチャプタ情報の構成は、本実施例では、後述のチャプタ情報１０００の構成をとるものとしている）。
【００６０】
以上示した、サーバ機器情報４００およびサービス記述情報５００を参照することによって、受信装置１３０、１４０はチャプタ情報の取得・設定の手段を得ることが可能となる。なお、ここで述べた各名称については、例として用いたものであり、ここに記載された名称に限定するものではない。
【００６１】
次に、送信装置１１０において、記録媒体２０２に記録されたコンテンツと、受信装置１３０、１４０に送信するコンテンツ、および、コンテンツのシーン区切りを示すチャプタ情報を管理するテーブルの構成例について図６を用いて説明する。
【００６２】
図６において、記録媒体内コンテンツ情報６１０は記録媒体２０２に記録されたコンテンツの情報を管理するテーブル、ネットワーク配信コンテンツ情報６２０は受信装置１３０、１４０に送信するコンテンツを管理するテーブル、チャプタ情報６３０は受信装置１３０、１４０との間でコンテンツのシーン区切りを示すチャプタ情報を管理するテーブルである。
【００６３】
さらに拡張チャプタ情報６４０は、記録媒体内コンテンツ情報６１０とは別のテーブルとしてコンテンツのシーン区切りを示すチャプタ情報を拡張して管理するためのテーブルである。例えば、コンテンツのジャンルに依存してチャプタ情報に意味付けを行い、複数のチャプタリストとして管理する場合（例えば、ニュース番組で天気シーン用チャプタリストとスポーツシーン向けチャプタリストを持たせるような場合）や、各チャプタの動作を定義して管理する場合（例えば、コンテンツの視聴しない部分に自動スキップ動作を定義するような場合）に用いるものである。
【００６４】
記録媒体内コンテンツ情報６１０は、コンテンツを一意に定めるＩＤ６１１と、コンテンツのシーン区切りを示すチャプタ情報６１２と、この他にファイル名、タイトル、ジャンル、詳細説明、録画日時、フォーマット情報などで構成され、これらがコンテンツ毎に用意される。
【００６５】
チャプタ情報６１２は、記録媒体２０２の種類や記録フォーマットによって、その表現方法は異なることがある。例えば、当該コンテンツに含まれるチャプタ数と、各チャプタ毎に、チャプタ番号と、チャプタの位置を示すコンテンツの先頭からのパケット位置やバイト位置、或いは時間で表現されるチャプタ位置が保持される。そしてこの記録媒体内コンテンツ情報６１０は、図２で説明したコンテンツ情報管理部２０４（或いは記録媒体２０２）に保持されるものである。
【００６６】
拡張チャプタ情報６４０は、記録媒体内コンテンツ情報６１０内のコンテンツを一意に定めるためのＩＤであるＩＤ６４１と、上記記録媒体内コンテンツ情報６１０のチャプタ情報６１２を拡張する拡張チャプタ情報６４２などで構成され、これらがコンテンツ毎に用意される。
【００６７】
ここで、拡張チャプタ情報６４２は、記録媒体内コンテンツ情報６１０内チャプタ情報６１２と同様の構成を採るが、先にも述べたように、一つ以上のチャプタリストで構成され、各チャプタリスト毎に名称やタイプが保持される。さらに、各チャプタ毎にチャプタタイプが保持される。そしてこの拡張チャプタ情報６４０は、図２で説明したコンテンツ情報管理部２０４（或いは記録媒体２０２）に保持されるものである。
【００６８】
ネットワーク配信コンテンツ情報６２０は、記録媒体内コンテンツ情報６１０内のコンテンツを一意に定めるＩＤであるＩＤ６２１と（本実施例ではＩＤ６１１と同値をとる）、受信装置１３０、１４０に送信するコンテンツを一意に定めるためのｏｂｊｅｃｔ＿ＩＤ６２２と、この他にタイトル、ジャンル、録画日時、コンテンツ長、フォーマット情報、ＵＲＬなどで構成され、これらがコンテンツ毎に用意される。
【００６９】
なお、ここでは記録媒体内コンテンツ情報６１０と重複する形でタイトル、ジャンル、録画日時、フォーマット情報が用意されているが、これらは、必ずしもネットワーク配信コンテンツ情報６２０内に用意しなくとも良い。その場合には、ＩＤ６２１から記録媒体内コンテンツ情報６１０の対応する情報を読み出せば良い。そしてこのネットワーク配信コンテンツ情報６２０は、図２で説明したコンテンツ情報管理部２０４（或いは記録媒体２０２）に保持されるものである。
【００７０】
チャプタ情報６３０は、ネットワーク配信コンテンツ情報６２０内のコンテンツを一意に定めるためのＩＤであるｏｂｊｅｃｔ＿ＩＤ６３１と（本実施例ではＩＤ６１１と同値をとる）、該ｏｂｊｅｃｔ＿ＩＤ６３１に対応するコンテンツのシーン区切りを示すチャプタ情報６３２とで構成される。
【００７１】
ここで、チャプタ情報６３２の構成について、図１０を用いてさらに詳細に説明する。チャプタ情報１０００（チャプタ情報６３２のこと）は、先に説明した引数「ＣｈａｐｔｅｒＬｉｓｔ」と同様の構成をとるものであり、一つ以上のチャプタリストで構成され、そのチャプタリストの数を示すチャプタリスト数１００１と、例えば最初に表示すべきチャプタリストを指定するためデフォルトチャプタリスト番号１００２と、各チャプタリスト毎に、チャプタリスト番号１０１１、チャプタリストタイプ１０１２、チャプタリスト名称１０１２、および、当該チャプタリストに含まれるチャプタの数を示すチャプタ数１０１３が保持され、さらに各チャプタ毎に、当該チャプタリスト内でのチャプタ番号１０２１、チャプタ名称１０２２、チャプタタイプ１０２３、チャプタ位置１０２４が保持される。そして、このチャプタ情報６３０は、図２で説明したコンテンツ情報管理部２０４に保持されるものである。
【００７２】
なお、ここではチャプタ情報６３２の構成は（すなわち引数「ＣｈａｐｔｅｒＬｉｓｔ」の構成も）チャプタリストやチャプタについて、それぞれ名称やタイプなどの情報を含めているが、場合によっては、これらを省いた簡素な構成としても良い。例えば、各チャプタリスト毎に、チャプタリスト名称１０１２と、該チャプタリストに含まれるチャプタ位置１０２４のみを記述する構成でも良い。特に引数「ＣｈａｐｔｅｒＬｉｓｔ」の構成としては、これらの構成は、送信装置１１０と、受信装置１３０、１４０が互いに解釈できるような構成である必要があるため、場合によっては、引数「ＣｈａｐｔｅｒＬｉｓｔ」の構成を示すフォーマット情報を付加することも考えられる。
【００７３】
ここで、送信装置１１０が、コンテンツを記録する際にトランスポートパケットから抽出し、記録媒体内コンテンツ情報６１０に保持する、タイトルやジャンル、放送スケジュール等が格納されたＰＳＩ、ＳＩ情報の概要について図９を用いて説明する。
【００７４】
ＭＰＥＧ−ＴＳにより多重化されたコンテンツは、例えば放送では、周波数分割方式等によって各周波数帯域に一つ以上のトランスポートストリームが伝送される。そして、各トランスポートストリームには映像や音声、データからなるコンテンツ（番組）が一つ以上多重化されて伝送される。
【００７５】
図９において、ＮＩＴ（Ｎｅｔｗｏｒｋ  Ｉｎｆｏｒｍａｔｉｏｎ  Ｔａｂｌｅ）９１０は、主として、所望の番組を放送電波より受信するための周波数情報などが格納された伝送諸元９１１、該伝送諸元に対応するトランスポートストリームの伝送種別等のＴＳ（トランスポートストリーム）情報９１２、該伝送諸元に対応するチャネル番号の情報等を含む番組情報９１３等が格納される。
【００７６】
ＰＡＴ（Ｐｒｏｇｒａｍ  Ａｓｓｏｃｉａｔｉｏｎ  Ｔａｂｌｅ）９２０は、当該トランスポートストリームに含まれるＮＩＴ９１０への識別ＩＤ９２１や、後述のＰＭＴ９４０への識別ＩＤ９２２が、各チャネル（番組）毎に格納される。
【００７７】
ＳＤＴ（Ｓｅｒｖｉｃｅ  Ｄｅｓｃｒｉｐｔｉｏｎ  Ｔａｂｌｅ）９３０は、当該トランスポートストリームに含まれるチャネルのチャネル名９３１、チャネル説明９３２、チャネルのロゴデータへのリンク情報等のチャネルロゴ情報９３３等が、各チャネル毎に格納される。
【００７８】
ＰＭＴ（Ｐｒｏｇｒａｍ  Ｍａｐ  Ｔａｂｌｅ）９４０は、ストリームタイプ９４１（デジタル・テレビジョン・サービスやデジタル・ラジオ・音声・サービスなどを識別する）や、該ストリームが格納された実際のデータを識別するためのストリーム識別番号９４２等が、各ストリーム毎に格納されている。
【００７９】
ＥＩＴ（Ｅｖｅｎｔ  Ｉｎｆｏｒｍａｔｉｏｎ  Ｔａｂｌｅ）９５０は、番組タイトル９５１、番組の開始時刻・終了時刻を示す放送スケジュール９５２、番組のジャンルを識別するためのジャンル９５３、番組の説明文を示す詳細説明９５４等が、各チャネル毎に格納される。そしてこれらのテーブルには、夫々が対応するトランスポートストリーム、チャネル、番組を（図示しない）一意に定めるＩＤが格納されており、相互に関連付けされている。
【００８０】
そして、送信装置１１０は、これらの情報から、記録媒体２０２に記録するコンテンツ（番組）に対応するタイトルやジャンル、放送スケジュール等を抽出して、記録媒体内コンテンツ情報６１０に保持する。
【００８１】
次に、これまで説明したサーバ機器情報４００、サービス記述情報５００、記録媒体内コンテンツ情報６１０、ネットワーク配信コンテンツ情報６２０、チャプタ情報６３０、拡張チャプタ情報６４０を用いて、ホームネットワーク１００内で、送信装置１１０と受信装置１３０、１４０がチャプタ情報を互いに交換する方法の例について、そのフローチャートを示した図７と、ユーザに提示する操作画面を示した図８を用いて説明する。
【００８２】
図７に示したフローチャートでは、送信装置１１０の記録媒体２０２に記録されたコンテンツ（既にチャプタ情報は生成されている）を、受信装置１３０で（ホームネットワーク１００を介して）受信および再生し、当該コンテンツのチャプタ情報をユーザに提示しチャプタスキップを行う例、および、ユーザの操作無しに自動でチャプタスキップを行う場合を例にあげている。
【００８３】
さらにその後、当該機能により、受信装置１３０側でチャプタ情報を更新し（チャプタを挿入する場合とデフォルトチャプタリストを更新する場合）、該チャプタ情報を送信装置１１０に設定する場合を例にあげている。
【００８４】
まず初めに、ユーザが受信装置１３０において、送信装置１１０の記録媒体２０２に記録されたコンテンツの再生を行うため、ホームネットワーク１００上で公開されているコンテンツの一覧表示操作を指示する（本ステップは図示されない）。
【００８５】
この指示を受けた受信装置１３０は、まず初めに、サーバ機器情報受信部３０６によってホームネットワーク１００上の機器に対してサーバ機器情報４００を要求する（この要求は、送信装置１１０に対しても行われる）（ステップ７４１）。
【００８６】
この要求を受けた送信装置１１０は、サーバ機器情報送信部２０７によってサーバ機器情報４００を読み出し、これを受信装置１３０に送信（返信）する（ステップ７１１）。受信装置１３０は、サーバ機器情報受信部３０６によってサーバ機器情報４００を受信し、図４の説明で記載した構成を解釈すると共に、サービス記述情報５００を要求する（ステップ７４２）。このステップ７４２によるサーバ機器情報４００内のチャプタ情報送信対応情報４３１の解釈によって、受信装置１３０は、送信装置１１０がチャプタ情報の送信および設定する機能に対応していることがわかる。
【００８７】
そして次に、サービス記述情報５００の要求を受けた送信装置１１０は、サーバ機器情報送信部２０７によってサービス記述情報５００を読み出し、これを受信装置１３０に送信（返信）する（ステップ７１２）。
【００８８】
受信装置１３０は、サーバ機器情報受信部３０６によってサービス記述情報５００を受信し、図５の説明で記載した構成を解釈する（ステップ７４３）。このステップ７４３によるサービス記述情報５００内のアクションリスト５１０およびサービス値テーブル５２０の解釈によって、受信装置１３０は、送信装置１１０に対しチャプタ情報の送信および設定を行う方法を知ることができる。
【００８９】
次に受信装置１３０は、コンテンツの一覧表示を行うためのコンテンツ一覧情報を送信装置１１０に対して行う（ステップ７４４）。これはサービス記述情報５００内のアクションリスト５１０およびサービス値テーブル５２０に記載された方法に基づいて行われる。
【００９０】
コンテンツ一覧情報の要求を受けた送信装置１１０は、ネットワーク配信コンテンツ情報６２０を参照し、受信装置１３０の要求に合った情報を送信（返信）する（ステップ７１３）。そして受信装置１３０は、該コンテンツ一覧情報を受信し、当該情報を用いてコンテンツ一覧表示を行う（ステップ７４５）。このステップでは、図示しない描画部において一覧表示のための描画イメージを生成し表示部３０２に出力する。
【００９１】
次に、表示されたコンテンツ一覧から、ユーザが所望のコンテンツを選択し、再生指示を行う（ステップ７４６）。
【００９２】
再生指示を受けた受信装置１３０は、次に、チャプタ情報受信部によって、送信装置１１０に対して当該コンテンツのチャプタ情報６３２を（取得）要求する（ステップ７４７）。これは、アクションリスト５１０に記述された方法によって行われる（アクション名５１１、引数５１２、５１３を使用）。
【００９３】
そして、チャプタ情報６３２の（取得）要求を受けた送信装置１１０は、引数５１２に記載されたＯｂｊｅｃｔＩＤの値をもとに、ネットワーク配信コンテンツ情報６２０、記録媒体内コンテンツ情報６１０、拡張チャプタ情報６４０を辿って、該当するコンテンツのチャプタ情報６１２およびまたは拡張チャプタ情報６４２に記載されたチャプタ情報を読み出す（ステップ７１４）。
【００９４】
そして、必要に応じてチャプタ情報６１２、拡張チャプタ情報６４２の値をチャプタ情報６３２の形式に変換して、チャプタ情報６３２を生成しこれを受信装置１３０に送信（返信）する（ステップ７１５）。次に受信装置１３０は、チャプタ情報受信部３０６によって該チャプタ情報６３２を受信してチャプタ情報を解析する（ステップ７４８）。
【００９５】
次に、受信装置１３０は、コンテンツ受信部３０３によって、送信装置１１０に対しコンテンツ送信開始を要求する（ステップ７４９）。送信装置１１０は、コンテンツ送信部２０６によって、ステップ７４９のコンテンツ送信開始要求に従ってコンテンツデータの送信を行い（ステップ７１６）、受信装置１３０は、コンテンツ受信部３０３によって該コンテンツデータを順次受信し、コンテンツ再生部３１０によってコンテンツの再生を行う（ステップ７５１）。
【００９６】
なお、このとき、受信装置１３０は、当該コンテンツの再生位置が自動スキップ対象のチャプタであった場合に、当該チャプタの再生をスキップさせるべく、当該コンテンツの再生位置を監視する。具体的には、まず、ステップ７４８で解析した結果をもとに、自動スキップするチャプタの開始点をチャプタ位置１０２４から取得する。次に、当該コンテンツの再生位置が、当該チャプタ位置１０２４に到達したかどうかの監視を行う。
【００９７】
ここで、ユーザがチャプタ操作を行うため、チャプタ情報の表示要求の指示を行う（本ステップは図示されない）。この指示を受けた受信装置１３０は、チャプタ操作を行うための操作画面を提示する（ステップ７５２）。本ステップでは、チャプタ情報１０００（＝チャプタ情報６３２）内のデフォルトチャプタリスト番号１００２を参照し、当該チャプタリストに関するチャプタ情報を表示する。
【００９８】
なお、一度チャプタ情報を表示・消去し、その後、再度チャプタ情報を表示するような場合は、チャプタ情報の表示を消去する際に、最後に表示したチャプタリストのチャプタリスト番号を記憶しておき、再表示の際は、デフォルトチャプタリスト番号１００２ではなく記憶したチャプタリスト番号を使用する方法も考えられる。
【００９９】
この操作画面は、例えばチャプタをスキップする操作や、チャプタリストが複数ある場合に、あるチャプタリストを選択する操作を行うためのものであり、図８に示すような構成を採る。図８において、８００はチャプタ操作画面であり、この画面は大別してチャプタリスト表示部８１０とチャプタ表示部８２０から構成される。
【０１００】
図８に示した状態は、チャプタリストＣ８１１が選択され、該チャプタリスト内のチャプタ情報を時間軸形式で示していると共に、現時点での再生位置を図形８２３や時間文字列で示している。このとき例えば、ユーザが、チャプタリストＣ８１１とは別のチャプタリストを選択した場合には、当該チャプタリスト内のチャプタ情報を再描画する。
【０１０１】
チャプタリスト表示部８１０には、チャプタ情報１０００に記載されたチャプタリストをチャプタリスト番号１０１１やチャプタリスト名称１０１２の情報を用いて表示する。
【０１０２】
チャプタ表示部８２０には、当該チャプタリスト８１１に関連するチャプタについて、チャプタ番号１０２１やチャプタ名称１０２２、チャプタタイプ１０２３、チャプタ位置１０２４の情報を用いて表示する。なお、各チャプタの位置を時間軸形式で表示する際は、ステップ７４５で取得したコンテンツ一覧情報に含まれるコンテンツ長と、当該チャプタ位置１０２４の情報を用いて算出する。
【０１０３】
チャプタタイプとしては、例えば、コンテンツの視聴しない部分に自動スキップ動作を行う位置（開始点）として定義されるものがある。このようなチャプタタイプのチャプタに対しては、図形８２２に示すように、他のチャプタ（図形８２１など）と区別して表示する。
【０１０４】
さて、ここで、ユーザが次のチャプタの開始点にコンテンツ再生をスキップさせる指示を行った場合には（ステップ７５３）、受信装置１３０は、スキップ再生を行うべくステップ７１０に示した一連の処理を実行する。
【０１０５】
ステップ７１０では、まず初めに、受信装置１３０は、送信装置１１０に対し当該コンテンツの送信停止を要求する（ステップ７５４）。そして該送信停止の要求を受けた送信装置１１０は、当該コンテンツの送信を停止する（ステップ７１７）。その後、受信装置１３０は、ユーザがスキップ指示を行った時点のコンテンツの再生位置をもとに、該再生位置から時間的に直後に配置されたチャプタのチャプタ位置１０２４を取得する。そして該チャプタ位置に示されるコンテンツの位置情報をもとに、送信装置１１０に対し、送信開始位置を指定してコンテンツ送信開始を要求する（ステップ７５６）。送信装置１１０は、コンテンツ送信部２０６によって、ステップ７５６のコンテンツ送信開始要求に従いコンテンツデータの送信を行い（ステップ７１８）、受信装置１３０は、ステップ７５１と同様にしてコンテンツの再生を再開する（ステップ７５７）。
【０１０６】
次に、コンテンツ再生位置が、図８の説明で述べたコンテンツの視聴しない部分に到達した場合には、あらかじめ監視しておいた当該チャプタの開始点への到達を検出し（ステップ７５８）、その後、先に述べたステップ７１０の一連の処理を実行する。
【０１０７】
次に、ユーザが、コンテンツのある位置にチャプタを挿入した場合には（これは図８に示すような画面で操作する場合や、リモコンに割り当てられたチャプタ挿入ボタンへの操作などで指示される）（ステップ７５９）、まず初めに、受信装置１３０は、ユーザに指示された挿入位置を算出する（ステップ７６１）。
【０１０８】
そして、算出した情報を送信装置１１０に設定すべく、チャプタ情報６３０を生成しこれを送信装置１１０に送信する（ステップ７６２）。これは、アクションリスト５１０に記述された方法によって行われる（アクション名５１４、引数５１５、５１６を使用）。
【０１０９】
そして、チャプタ情報６３０の（設定）要求を受けた送信装置１１０は、引数５１５に記載されたＯｂｊｅｃｔＩＤの値をもとに、ネットワーク配信コンテンツ情報６２０、記録媒体内コンテンツ情報６１０、拡張チャプタ情報６４０を辿って、該当するコンテンツのチャプタ情報６１２、６４２を、引数５１６に記載されたＣｈａｐｅｔｅｒＬｉｓｔの値を元に生成し書き込む（ステップ７２１）。
【０１１０】
次に、ユーザが、コンテンツの再生を停止した場合には（ステップ７６３）、まず初めに、受信装置１３０は、送信装置１１０から受信したチャプタ情報６３２（＝チャプタ情報１０００）内のデフォルトチャプタリスト番号１００２と、ユーザが最後に選択したチャプタリストの番号を比較する（本ステップは図示されない）。
【０１１１】
そして該比較に相違がある場合には、チャプタ情報６３０を生成（更新）し、これをステップ７６４と同様にして送信装置１１０に送信する（ステップ７６４）。最後に、チャプタ情報６３０の（設定）要求を受けた送信装置１１０は、ステップ７２１と同様にしてチャプタ情報６１２、６４２を更新する。
【０１１２】
以上のようにすることで、受信装置（クライアント）は送信装置（サーバ）からチャプタの構成情報を取得できるだけでなく、クライアントで設定（挿入や更新）したチャプタ構成情報をサーバに設定させることが可能となる。さらに、ホームネットワーク上でコンテンツのチャプタ情報を唯一に管理することが可能となる。
【０１１３】
また、チャプタの構成が、チャプタの意味付けに応じて複数のチャプタリストで構成されるような場合であっても、その構成情報をサーバとクライアントで相互に取得することが可能となる。その構成情報は、記録媒体に依存しない共通の構成であり、かつ、サーバは、記録媒体に依存するチャプタ構成情報をこの共通構成に変換するように構成されるため、クライアントはサーバ（の記録媒体）を意識することなく、チャプタ情報を解釈することが可能となる。
【０１１４】
なお、本実施例は、複数の記録媒体を具備する装置に対して、ここで説明した送信装置１１０と受信部１３０、１４０の構成を、夫々送信部と受信部として一つの装置として構成する場合にも適用可能である。この場合には、例えば図１１に示すように、送信部と受信部をネットワークＩ／Ｆで接続するように構成し、また、表示部を送信部と受信部双方から受けるようにする。
【０１１５】
このようにすることで、夫々の記録媒体でチャプタ情報の管理方法が異なる場合であっても、相互にチャプタ情報を受け渡しすることが可能となると共に、ホームネットワーク１００に接続された外部の送信装置や受信装置とチャプタ情報を受け渡しする際に、その処理を共通化することが可能となる。
【０１１６】
なお、上記実施例において図２の送信装置及び図３の受信装置は、それぞれ２０１〜２２２のブロック及び３０１〜３１２のブロックを有するように説明したが、それぞれの装置においてこれらのブロックが有する機能や図示しない機能を１つ、または複数のＣＰＵで実現するように構成してもよい。例えば、送信装置１１０の２０４、２０５、２０６、２０７、２１０、２２０の有する機能を１つのＣＰＵで実現するように構成してもよい。図１１に示す装置についても同様である。
【符号の説明】
【０１１７】
１００  ホームネットワーク
１１０  送信装置（サーバ）
１２０  表示装置
１３０、１４０  受信装置（クライアント）
２０６  コンテンツ送信部
２０７  サーバ機器情報送信部
２１０  コンテンツ記録再生部
２２０  チャプタ情報管理部
２２１  チャプタ情報送信部
２２２  チャプタ情報受信部
３０３  コンテンツ受信部
３０４  チャプタ情報受信部
３０５  チャプタ情報送信部
３０６  サーバ機器情報受信部
３０７  チャプタ情報生成部
３１０  コンテンツ再生部
４００  サーバ機器情報
４３１  チャプタ情報送信対応情報
５００  サービス記述情報
６１０  記録媒体内コンテンツ情報
６１２  チャプタ情報
６２０  ネットワーク配信コンテンツ情報
６３０  チャプタ情報
６４０  拡張チャプタ情報
６３２、１０００  チャプタ情報
８００  チャプタ操作画面
１１００  送受信装置
１１１０  送信部
１１２０  受信部
【図１】
2012065059.tif 000003
【図２】
2012065059.tif 000004
【図３】
2012065059.tif 000005
【図４】
2012065059.tif 000006
【図５】
2012065059.tif 000007
【図６】
2012065059.tif 000008
【図７】
2012065059.tif 000009
【図８】
2012065059.tif 000010
【図９】
2012065059.tif 000011
【図１０】
2012065059.tif 000012
【図１１】
2012065059.tif 000013